(57)【特許請求の範囲】
【請求項１】
複数の冊子を綴じ込んだ集冊ファイルに綴じ込み可能とした集冊ファイル用別冊において、
表表紙部と裏表紙部と背表紙部とを備えた前記集冊ファイル用別冊の表紙部における前記裏表紙部にのみ、その内表面に中綴じ冊子を貼着するとともに、前記裏表紙部における前記中綴じ冊子が貼着された部分に連結片を切り起こし可能に形成し、
前記連結片に、前記集冊ファイル用別冊を前記集冊ファイルに綴じ込み可能とする取付孔を設けたことを特徴とする集冊ファイル用別冊。
【請求項２】
前記表紙部にミシン目を設けて前記連結片を切り起こし可能としたことを特徴とする請求項１記載の集冊ファイル用別冊。
【請求項３】
前記連結片の先端縁に前記取付孔に連通するスリットを設けたことを特徴とする請求項１又は２記載の集冊ファイル用別冊。
【請求項４】
前記連結片には指掛けとして凹部を設けたことを特徴とする請求項１乃至３のいずれか１項に記載の集冊ファイル用別冊。
【請求項５】
内表面に中綴じ冊子が貼着された集冊ファイル用別冊の表紙部であって、
筋押しに沿って折り返されて表表紙部と裏表紙部と背表紙部が形成されるとともに、前記中綴じ冊子が前記裏表紙部のみに貼着され、
前記筋押しと平行となる位置に設けた折り目と、
前記折り目を除く三方に設けたミシン目により切り起こし可能とした連結片を設け、
前記折り目と前記ミシン目を、前記裏表紙部における前記中綴じ冊子が貼着された部分に設け、
前記連結片を切り起こした際、前記連結片が集冊ファイル用別冊の外周から突出し、
集冊ファイルに綴じ込み可能とする取付孔を前記連結片に備えたことを特徴とする集冊ファイル用別冊の表紙部。
【請求項６】
内表面に中綴じ冊子が貼着された集冊ファイル用別冊の裏表紙部における該中綴じ冊子が貼着された部分から連結片を切り起こし、前記連結片をバインダーのピンに係合させて前記集冊ファイル用別冊をバインダーに綴じ込むことを特徴とする集冊ファイル用別冊の綴じ込み方法。
【発明の詳細な説明】
【技術分野】
【０００１】
この発明は、複数の冊子を綴じて閲覧可能とする集冊ファイルに関するものである。
【背景技術】
【０００２】
種々の製品の複数のカタログ、パンフレット等を綴じ込んで営業で使用される見本帳は、あらかじめ複数の本冊カタログがバインダーに綴じられている。各本冊カタログには綴じ穴がそれぞれ設けられ、その綴じ穴でバインダーに綴じられている。
【０００３】
このような見本帳に、別冊カタログを追加する場合には、その別冊カタログにあらかじめ設けられた綴じ穴を使用してバインダーに綴じたり、あらかじめバインダーに備えられた透明な収納袋に別冊カタログを収容していた。
【先行技術文献】
【特許文献】
【０００４】
【特許文献１】特開平１０−６９２２７
【発明の概要】
【発明が解決しようとする課題】
【０００５】
上記のように別冊カタログに綴じ穴を備え、その綴じ穴でバインダーに綴じると、綴じ代部分の印刷が隠れてしまうため、カタログの有効紙面が制限されてしまう。
また、別冊カタログをバインダーの収納袋に収納すると、別冊カタログを開く場合には、別冊カタログを収納袋から取り出す必要がある。従って、収納袋から別冊カタログを取り出し、閲覧後は別冊カタログを収納袋に収納する作業が煩雑である。
【０００６】
特許文献１には、カードを抜き差し可能としたカード集合体をバインダーに綴じ込むようにした綴じ込みカード式カタログが開示されている。しかし、冊子状のカタログを追加し、且つ容易に閲覧可能とする構成は開示されていない。
【０００７】
この発明の目的は、容易に閲覧可能に追加し得る集冊ファイル用別冊を提供することにある。
【課題を解決するための手段】
【０００８】
請求項１では、複数の冊子を綴じ込んだ集冊ファイルに綴じ込み可能とした集冊ファイル用別冊において、表表紙部と裏表紙部と背表紙部とを備えた前記集冊ファイル用別冊の表紙部における前記裏表紙部にのみ、その内表面に中綴じ冊子を貼着するとともに、前記裏表紙部における前記中綴じ冊子が貼着された部分に連結片を切り起こし可能に形成し、前記連結片に、前記集冊ファイル用別冊を前記集冊ファイルに綴じ込み可能とする取付孔を設けた。
【０００９】
請求項２では、前記表紙部にミシン目を設けて前記連結片を切り起こし可能とした。
請求項３では、前記連結片の先端縁に前記取付孔に連通するスリットを設けた。
請求項４では、前記連結片には指掛けとして凹部を設けた。
【００１０】
請求項５では、内表面に中綴じ冊子が貼着された集冊ファイル用別冊の表紙部であって、筋押しに沿って折り返されて表表紙部と裏表紙部と背表紙部が形成されるとともに、前記中綴じ冊子が前記裏表紙部のみに貼着され、前記筋押しと平行となる位置に設けた折り目と、前記折り目を除く三方に設けたミシン目により切り起こし可能とした連結片を設け、前記折り目と前記ミシン目を、前記裏表紙部における前記中綴じ冊子が貼着された部分に設け、前記連結片を切り起こした際、前記連結片が集冊ファイル用別冊の外周から突出し、集冊ファイルに綴じ込み可能とする取付孔を前記連結片に備えた。
【００１１】
請求項６では、内表面に中綴じ冊子が貼着された集冊ファイル用別冊の裏表紙部における該中綴じ冊子が貼着された部分から連結片を切り起こし、前記連結片をバインダーのピンに係合させて前記集冊ファイル用別冊をバインダーに綴じ込む。
【発明の効果】
【００１２】
本発明によれば、容易に閲覧可能に追加し得る集冊ファイル用別冊を提供することができる。
【図面の簡単な説明】
【００１３】
【図１】別冊カタログを示す斜視図である。
【図２】別冊カタログを示す断面図である。
【図３】別冊カタログを示す背面図である。
【図４】別冊カタログの集冊ファイルへの綴じ込み手順を示す斜視図である。
【図５】別冊カタログの集冊ファイルへの綴じ込み手順を示す斜視図である。
【発明を実施するための形態】
【００１４】
以下、この発明を具体化した一実施形態を図面に従って説明する。図１及び図２に示す別冊カタログ１は、見本帳に追加可能とする別冊カタログであり、厚紙に筋押しを施して折ることにより、折り返された表表紙部２と、裏表紙部３とを備えた冊子状に形成されている。そして、表表紙部２に所要のカタログ情報が印刷されるとともに、裏表紙部３の表面には中綴じ冊子４が貼着されている。
【００１５】
図１に示すように、前記別冊カタログ１の背表紙部５の近傍において、前記裏表紙部３にはこの別冊カタログ１を見本帳のバインダーに綴じ込む際に使用する連結片６ａ，６ｂが背表紙部５に沿って上下方向に２箇所に形成されている。
【００１６】
前記連結片６ａ，６ｂは、この連結片６ａ，６ｂを裏表紙部３から切り起こし可能とするコ字状のミシン目７と、そのミシン目７より粗いミシン目でミシン目７の端部を連結するように設けられた折り目８とで形成され、図３に示すように、前記折り目８で折り返して背表紙部５側に切り起こし可能に形成されている。
【００１７】
切り起こされた連結片６ａ，６ｂの先端縁は、図３及び図４に示すように、背表紙部５から突出するようになっている。
また、切り起こされた連結片６ａ，６ｂの先端縁の中央部には、指掛けとして使用する凹部９が形成され、その凹部９の両側には、連結片６ａ，６ｂの先端縁に連なるスリット１０と、そのスリット１０に連なる取付孔１１がそれぞれ形成されている。
【００１８】
前記ミシン目７、折り目８、凹部９、スリット１０及び取付孔１１は、裏表紙部３の押し切り工程により、同時に形成される。
このような連結片６ａ，６ｂを使用して別冊カタログ１をバインダー１２に綴じこむには、図３に示すように連結片６ａ，６ｂを切り起こし、次いで図４に示すようにバインダー１２のピン１３にスリット１０を押し当て、ピン１３を取付孔１１内に嵌合する。
【００１９】
すると、図５に示すように、別冊カタログ１がバインダー１２に綴じ込まれ、あらかじめ綴じ込まれている本冊カタログ１４とともに別冊カタログ１を閲覧可能となる。
このとき、切り起こされた連結片６ａ，６ｂの先端縁が、背表紙部５から突出しているので、別冊カタログ１の背表紙部５がピン１３に干渉しないようになっている。
【００２０】
また、別冊カタログ１をバインダー１２に綴じ込むことなく、単独の冊子として使用する場合には、連結片６ａ，６ｂを切り起こさないので、裏表紙部３に無用な突起が生じることはない。
【００２１】
上記のように構成された別冊カタログ１では、次に示す作用効果を得ることができる。
（１）冊子状の別冊カタログ１をバインダー１２に容易に綴じ込み、かつ容易に閲覧することができる。
（２）裏表紙部３に一体に形成された連結片６ａ，６ｂを切り起こして、バインダー１２に容易に綴じ込むことができる。
（３）連結片６ａ，６ｂを切り起こさない状態では、裏表紙部３に無用な突起を生じさせない。従って、裏表紙部３の美観を低下させることはなく、別冊カタログ１を単独の冊子として書棚に収容すること、あるいは別冊カタログ１を封筒に入れることも容易である。
（４）連結片６ａ，６ｂは、裏表紙部３の一部を切り起こして生成するので、裏表紙部３に連結片６ａ，６ｂを別途取着する必要はない。従って、連結片６ａ，６ｂを生成するために紙の使用量を増大させることはない。
（５）凹部９に指をかけて、連結片６ａ，６ｂを裏表紙部３から容易に切り起こすことができる。
（６）連結片６ａ，６ｂを切り起こすと、裏表紙部３に穴が開くが、その穴は中綴じ冊子４により塞がれているので、美観を損ねることはない。
（７）別冊カタログ１は、本冊カタログ１４の巻頭、巻末あるいは中間ページのいずれにも容易に綴じ込むことができる。
【００２２】
上記実施形態は、以下の態様で実施してもよい。
・上記連結片６ａ，６ｂの構成を、見本帳以外に、別冊をバインダーに随時綴じ込んでファイルとして保管する書籍等に実施することもできる。
・上記別冊カタログ１の表表紙部２に連結片６ａ，６ｂを設けてもよい。
・別冊カタログを綴じ込んだ薄型ファイルの表紙部に連結片を設け、その薄型ファイルを連結片を介してバインダーに綴じ込むようにしてもよい。
・別冊カタログの背表紙部が厚い場合には、その背表紙部に連結片を設けてもよい。
・別冊カタログを透明な合成樹脂製のファイルに挟み、そのファイルを表紙として上記のような連結片を設けてもよい。
【符号の説明】
【００２３】
１…集冊ファイル用別冊（別冊カタログ）、３…裏表紙部、６ａ，６ｂ…連結片、７…ミシン目、１１…取付孔、１２…バインダー。
【図１】
0005622503.tif 000002
【図２】
0005622503.tif 000003
【図３】
0005622503.tif 000004
【図４】
0005622503.tif 000005
【図５】
0005622503.tif 000006